(57)【特許請求の範囲】
【請求項１】
上層のＡＬＣパネル縦壁（Ｐ１）と下層のＡＬＣパネル縦壁（Ｐ２）との間の横目地が一つの木製梁（３）の真ん前に位置し、
上層のＡＬＣパネル縦壁（Ｐ１）と前記木製梁（３）との間、また、下層のＡＬＣパネル縦壁（Ｐ２）と前記木製梁（３）との間に、それぞれ下部取付金物（１）及び上部取付金物（２）が介在されており、
上層のＡＬＣパネル縦壁（Ｐ１）と下部取付金物（１）とはボルト（４）によって固定され、また、下層のＡＬＣパネル縦壁（Ｐ２）と上部取付金物（２）とはボルト（６）によって固定されているとともに、
下部取付金物（１）と前記木製梁（３）の上面とはセルフタッピングネジ（５）によって固定され、また、上部取付金物（２）と前記木製梁（３）の下面とはセルフタッピングネジ（７）によって固定されており、
下部取付金物（１）の下部は、上層のＡＬＣパネル縦壁（Ｐ１）の下端を受けるための水平のパネル端受部片（１ｄ）と、上層のＡＬＣパネル縦壁（Ｐ１）と木製梁（３）の正面の上半部との間に挟持される垂直の板片とを備えて側面逆Ｌ字型を形成しており、
上部取付金物（２）の上部は、下層のＡＬＣパネル縦壁（Ｐ２）と木製梁（３）の正面の下半部との間に挟持される垂直の板片を備えていることを特徴とするＡＬＣパネル縦壁の取付構造。
【請求項２】
上層及び下層のＡＬＣパネル縦壁（Ｐ１，Ｐ２）の厚みが７５ｍｍ以上であって、かつ木製梁（３）は集成方法によって矩形に形成されており、その一片の幅が少なくとも１２ｃｍ以上である請求項１のＡＬＣパネル縦壁の取付構造。
【発明の詳細な説明】
【０００１】
【産業上の利用分野】
本発明は、木製梁にＡＬＣパネル縦壁を取付けた構造に関する。
【０００２】
【従来の技術】
ＡＬＣパネルは軽量でかつ耐火性の構造物であるため、従来から耐火性の鉄骨建築物に適用されてきた。そして、そのＡＬＣパネルの縦壁や横壁の取付構造は、図４に示すように鉄骨梁１１にＬ字型アングル１２を溶接し、それにさらに稲妻プレート１３等を溶接してボルトで固定する取付構造が一般的である。
しかし、鉄骨梁１１にＬ字型アングル１２を取り付けるためには、強度面から鉄骨梁１１に接するＬ字型アングル上面端部と下面端部とを溶接によって固定する必要がある。この溶接作業の中で特にその下面端部は上付き溶接を行う必要があるが、その作業は非常に熟練を要し、溶接が難しいという欠点がある。また鉄骨梁１１は強靭で耐火物であるという長所を有する半面、重くてクレーン等の建設機械を要し、取扱いや運搬上の欠点がある。
【０００３】
また、図５に示すように、建物躯体に固定されたＬ字型アングル１２にＣ型鋼アングル１４を溶接固定し、上層および下層の各ＡＬＣパネル壁Ｐ１、Ｐ２の屋外側からタッピングネジを打ち込み、その先端部をＣ型鋼アングル１４に捩じ込む取付構造も一般的に採用されている。
しかし、この取付構造でも上記取付構造と同様に溶接作業が必要であるとともに、ＡＬＣパネル壁Ｐ１、Ｐ２の屋外側からタッピングネジを打ち込むため、その頭部を補修材で埋める必要が生じる。従って、その補修作業を要することや補修材を用いることの不経済性、タッピングネジ頭部の補修材の亀裂による雨漏れ発生等の欠点があった。
【０００４】
【発明が解決しようとする課題】
そこで、本発明の目的は、ＡＬＣパネル壁は鉄骨建築物専用という既成概念を破り、木製梁にＡＬＣパネルの縦壁を取り付けることにより、鉄骨梁やＣ型鋼アングルを用いる従来取付構造の種々の欠点を無くすとともに、木造建築の壁にもＡＬＣパネル縦壁を容易に適用可能にしたＡＬＣパネル縦壁の取付構造を提供することにある。
【０００５】
【課題を解決するための手段】
すなわち、本発明はＡＬＣパネル縦壁と木製梁との間に取付金物が介在されており、該ＡＬＣパネル縦壁と該取付金物とはボルトによって固定されているとともに、該取付金物と前記木製梁とはセルフタッピングネジによって固定されているＡＬＣパネル縦壁の取付構造に関するものである。なお、本発明の請求項２において、木製梁が集成方法によって形成されているとは、複数の所定太さの梁が接着剤等で接着されて一本の太い梁が形成されていることをいう。
【０００６】
【作用】
木製梁にＡＬＣパネルの縦壁が取付けられる取付構造のため、鉄骨梁やＣ型鋼アングルの場合のような溶接作業を必要としないとともに、木造建築の壁にもＡＬＣパネルの縦壁を適用可能となる。その際、簡単な金属金物を介するのみであるため、取付け作業も簡単であるとともに、木製梁と取付金物とは、それを固定するセルフタッピングネジのほぼ全長が厚みのある木製梁によって締め付けられるため、しっかりと固定されるようになる。
【０００７】
また、木製梁はその面が広いため、従来の鉄骨梁に溶接するＬ字型アングルやＣ型鋼アングルの背面と同様に、木製梁の面がＡＬＣパネル縦壁面と接してその支持作用も同時に果たすようになる。さらに、本発明はＡＬＣパネル縦壁を取付けるボルトが屋内側から挿入される構造のため、Ｃ型鋼アングルによる取付構造の場合と違って、タッピングネジ頭部がＡＬＣパネル縦壁表面に位置することがなく、それによる雨漏れ発生等もない。また木製梁は鉄骨梁等と違って、軽いためクレーン等も必要がなくかつ運搬や切断等の取扱いも容易である。
【０００８】
【実施例】
次に、本発明を実施例について図面を参照しながら説明する。図１は本発明の１実施例の縦断面図であり、上層のＡＬＣパネル壁Ｐ１（以下、パネルＰ１という。）および下層のＡＬＣパネル壁Ｐ２（以下、パネルＰ２という。）は、下部取付金物１および上部取付金物２を介して木製梁３に取り付けられている。下部取付金物１は、図２に示すように板状体１ａから成り、その上部は側面Ｌ字型を形成しており、その縦片１ｂはパネルＰ１を固定するためのパネル固定片と成っており、横片１ｃは板状体１ａの中間位置の両側から水平に屈曲していて木製梁を固定するための梁固定片となっている。板状体１ａの下端は、上記縦片１ｂ（パネル固定片）と反対側に水平に屈曲してパネルＰ１の端を受けるためのパネル端受部片１ｄが設けられていて、板状体１ａの下部は側面逆Ｌ字型を形成している。また、縦片１ｂ（パネル固定片）には縦長孔のボルト挿通孔１ｅが設けられており、横片１ｃ（梁固定片）にはセルフタッピングネジ挿通孔１ｆが設けられている。
【０００９】
上部取付金物２は、図３に示すように、板状体２ａと、その下方に垂下している垂下片２ｂ（パネル固定片）と、板状体２ａの中間位置の両側から側面Ｌ字型に屈曲した横片２ｃ（梁固定片）とから成っている。また、垂下片２ｂ（パネル固定片）には縦長孔のボルト挿通孔２ｅが設けられており、横片２ｃ（梁固定片）にはセルフタッピングネジ挿通孔２ｆが設けられている。
【００１０】
以上のような下部取付金物１および上部取付金物２によって、パネルＰ１およびパネルＰ２と木製梁３とは次のように取付けられている。
先ず、下部取付金物１とパネルＰ１とは、縦片１ｂ（パネル固定片）のボルト挿通孔１ｅを通してボルト４によって固定されているとともに、下部取付金物１と木製梁３とは、ビス等のタッピングネジ５が横片１ｃ（梁固定片）のセルフタッピングネジ挿通孔１ｆから木製梁３にねじ込まれて固定されている。また、同時にパネルＰ１の下端は下部取付金物１のパネル端受部片１ｄによって受け止められている。このパネル端受部片１ｄによって、パネルＰ１はボルト４のみによる固定，支持よりも確実に固定され、またボルト４のずれや緩みを補強できる。
【００１１】
次に、上部取付金物２とパネルＰ２とは、下部取付金物１と同様に垂下片２ｂ（パネル固定片）のボルト挿通孔２ｅを通してボルト６によって固定されているとともに、上部取付金物２と木製梁３とは、タッピングネジ７が横片２ｃ（梁固定片）のセルフタッピングネジ挿通孔２ｆから木製梁３にねじ込まれて固定されている。
なお、本発明に適用される取付金物の形状は実施例の形状が好ましいが、これに限定されず、ＡＬＣパネル壁面にボルトで固定可能な片と、木製梁又は木製柱に固定可能な片が備わっておれば足りる。従って、本発明において取付金物が介在されているとは、ＡＬＣパネル壁面と木製梁面等との中間に位置している場合に限定さず、Ｌ字型等の取付金物でＡＬＣパネル壁面と梁面のみに面して接している構造のものでもよい。
また、ＡＬＣパネル壁面に取付金物をボルトで固定する手段として、図示していないが、金属マットにアンカーを固定したものをＡＬＣパネル壁内に埋め込み、そのアンカーとボルトとを螺合させると、より強固に固定されるとともに、ＡＬＣパネル壁面を削り込んだりすることがなく、より好ましい。
【００１２】
さらに、木製梁は集成方法によって形成された正方形の梁であって、かつその太さは強度面からその一片が１２ｃｍ以上が好ましく、より好ましくは１４ｃｍ以上である。すなわち、これまで木製梁がＡＬＣパネル縦壁に適用困難であった原因の１つとして、ＡＬＣパネル縦壁に耐え得る太い木製梁を得ることは原材料のコスト面からも困難であった。その点、集成方法によって形成される木製梁はＡＬＣパネル縦壁に耐え得る太さの梁、特に一片が１２ｃｍ以上の太い木製梁を容易に得ることができ、しかも工場生産を可能ならしめるためコスト面でも有利となり、ＡＬＣパネル縦壁にも実用可能となる。
ＡＬＣパネル縦壁の厚みは限定されないが、７５ｍｍ以上であることが好ましい。すなわち、ＡＬＣパネル縦壁を木製梁に適用する際には、支持する木製梁間の距離を長くするが、厚みが７５ｍｍ以上であるとＡＬＣパネル縦壁内部の補強鉄筋のロングスパンが可能となり、梁間の距離を長くしても支障が起り難くなる。また、ＡＬＣパネル壁は実施例のような縦壁に適用可能である。
【００１３】
【発明の効果】
本発明のＡＬＣパネル縦壁の取付構造によれば、鉄骨梁等における溶接作業や鉄骨梁の取扱い上の種々の欠点を無くすことができるとともに、木造建築の壁にもＡＬＣパネルの縦壁を適用可能となる。また、木製梁の適用によって軽量化による種々の効果および切断・加工上の取扱い易さ等の長所を生かすことができる。しかも、簡単な取付金物を介してボルトとセルフタッピングネジによる取付構造であるため、取付作業が簡単で木造建築専門の建築作業員でも容易に取り付けできる。さらに、Ｃ型鋼アングルによる取付けのようなＡＬＣパネル壁表面の補修作業は不要であり、またＬ字型アングルを用いる必要もないため使用材料も少くコスト面でも有利となり、その工業的価値は多大である。
【図面の簡単な説明】
【図１】本発明のＡＬＣパネル壁の取付構造の１実施例の縦断面図。
【図２】本発明に適用される下部取付金物の１実施例の斜視図。
【図３】本発明に適用される上部取付金物の１実施例の斜視図。
【図４】従来のＡＬＣパネル壁の取付構造を示す縦断面図。
【図５】他の従来のＡＬＣパネル壁の取付構造を示す縦断面図。
【符号の説明】
Ｐ１，Ｐ２・・ＡＬＣパネル壁
１・・・・・・下部取付金物
１ａ・・・・平板
１ｂ・・・・縦片（パネル固定片）
１ｃ・・・・横片（梁固定片）
１ｄ・・・・パネル端受部片  
１ｅ・・・・ボルト挿通孔
１ｆ・・・・セルフタッピングネジ挿通孔
２・・・・・・上部取付金物
２ａ・・・・板状体
２ｂ・・・・垂下片（パネル固定片）
２ｃ・・・・横片（梁固定片）
２ｅ・・・・ボルト挿通孔
３・・・・・木製梁
４、６・・・・ボルト
５、７・・・・タッピングネジ
【図１】
0003686701.tif 000002
【図２】
0003686701.tif 000003
【図３】
0003686701.tif 000004
【図４】
0003686701.tif 000005
【図５】
0003686701.tif 000006